(57)【要約】【課題】光通信システムで端末への抑圧を効率的に行ってその抑圧回数を減らし、システムの通信性能を改善する。【解決手段】子機３は端末４からの送信データを親機１に送信するまでに一時記憶する一時記憶手段に空きが無いときに端末からデータ送信があった場合に、一時記憶手段が空くまでの間、連続した抑圧信号により端末のデータ送信を抑圧する。また子機は一時記憶手段に空きが無い場合に端末からのデータ送信の有無にかかわらず連続した抑圧信号により端末のデータ送信を抑圧する。また、自身が光送信したデータが親機によって他の子機へ折り返されているときに端末からデータ送信があった場合や、端末からのデータ送信の有無にかかわらず連続した抑圧信号により端末のデータ送信を抑圧する。【選択図】　　　　図６
2004032475.tif 000002
【特許請求の範囲】
【請求項１】
データのやり取りを行う端末が接続されており、半二重光通信によって半二重光通信親機装置との間で前記データの送受信を行う半二重光通信子機装置であって、
前記半二重光通信親機装置に送信するための送信データを前記端末から受け取り一時記憶する一時記憶手段と、
前記一時記憶手段に前記送信データを記憶するための空き領域が存在しないときに、前記一時記憶手段に前記送信データを記憶するための空き領域が確保されるまで前記端末からの送信データの受け取りを抑制する抑制手段とを、
備えたことを特徴とする半二重光通信子機装置。
【発明の詳細な説明】
【０００１】
【発明の属する技術分野】
本発明は、端末が個々に接続される複数の半二重光通信子機装置と１つの半二重光通信親機装置との間で半二重光通信を行うシステムにおける前記半二重光通信子機装置に関する。
【０００２】
【従来の技術】
従来より、複数のパーソナルコンピュータなどの情報処理機器を相互に接続してＬＡＮ（Ｌｏｃａｌ　Ａｒｅａ　Ｎｅｔｗｏｒｋ）を構築する場合、それら情報処理機器は、例えば同軸ケーブルや光ケーブルなどの有線によって接続されることが多い。有線による接続は、機器的に確実な接続が可能なので、外来雑音によるデータ誤りが少ないなどの点では有利であるが、配線工事が煩雑であり、レイアウト変更毎に工事が必要であるなどの問題がある。
【０００３】
また、近年は、ラップトップ型、ブック型、パームトップ型などのパーソナルコンピュータや電子手帳などの携帯型情報処理機器を相互に接続してデータ伝送を行う要求も高まっている。一方で、これらの携帯型情報処理機器は、元々携帯移動して使用することを目的とした機器であり，有線接続した状態のままで携帯移動するようなことは極めてまれである。このため、これらの携帯型情報処理機器を相互に接続してデータ伝送を行う場合には、その移動毎にコネクタの抜き差しが行われることになり、そのような接続作業は非常に面倒である。また、コネクタの抜き差しを繰り返すと、コネクタなどの接続部の機械的破損が発生するおそれもある。これらのことから、据置型、携帯型に限らず、各種の情報処理機器間でデータの送受信を行う場合には、伝送路の全部又は一部を無線化して、有線による接続を減らしたいという要求がある。
【０００４】
ここで、無線伝送の手法としては、電波を伝送媒体としたものと、光を伝送媒体としたものがある。これら電波、光のいずれの伝送媒体を使用しても高速データ伝送を実現可能であるが、電波の場合は法的な規制があることや機密性の確保の問題などから法的規制が無く機密性を確保し易い光を伝送媒体とした無線伝送が有利である。また、有線ＬＡＮで最も普及率の高いイーサネット（登録商標）ＬＡＮは、例えば１０Ｍｂｐｓの伝送速度を有しているので、無線伝送路においても最低１０Ｍｂｐｓの伝送速度を持つことが望ましい。
【０００５】
このようなことから、本出願人は特開平８−５６１９８号公報において伝送媒体として光を用い、１０Ｍｂｐｓの伝送速度を実現する「光無線通信の戻り光打ち消し方法及びその装置」を開示している。この公報記載の技術は、天井に取り付けた親機と部屋内に設置された子機との間で光無線による全二重通信を実現するものであって、特に親機については受信信号から送信信号を減算することで反射光による悪影響の除去を可能とする方式が採用されている。すなわち、光無線伝送では、自由空間へ光を送出し、かつ自由空間からの光を受信するようになされているため、例えば相手方の装置近傍に位置する物体によって、自己の送出した送信信号光が反射されるなどして受光部に入力してしまい、相手方からの通信信号を正確に取り出すことができなくなるという問題があるが、同公報記載の技術では、送信信号の一部を分岐して、この信号のレベル及び位相を調節して受信信号に加えることにより、戻り光による信号をキャンセルするようにしている。
【０００６】
一方で、近年では伝送速度の高速化が望まれており、上述のような光無線通信方式においても、伝送速度の更なる高速化が要求されている。ところが、伝送速度が、例えば１００Ｍｂｐｓとなる光無線通信を考えると、その信号は４Ｂ／５Ｂ変換などの必要性から１２５Ｍｂｐｓの伝送信号となり、この信号を位相の面で考えると１ビット長は８ｎｓで光が１ｍ進む時間は３．３ｎｓである。このことから、反射経路が１ｍ異なると（反射物までの距離にして５０ｃｍの差）、３６０＊３．３／８＝１４８．５度も異なる。つまり、このような反射物までの距離によって大きく位相がずれてしまう反射光を打ち消すには、振幅の調整だけでなく大幅に変化する位相についても逐次合わせ込む必要があり、極めて複雑な回路が必要となる。さらに、これらの方法を駆使してもその打ち消しは限られた範囲内での精度向上しか望めない。したがって、１００Ｍｂｐｓのような高速伝送で１：Ｎの光無線通信装置を実現するには全二重通信方式ではなく半二重通信方式による実現が賢明である。
【０００７】
これらのことから、本出願人は、特開２００２−５１０５３号公報において１００Ｍｂｐｓの伝送を実現する「光無線通信装置及び光無線通信システム」を実現した。この方式は、図１に示すように親機１が光回線の使用状況を光回線空き報知信号として配下の子機３（３ａ、３ｂ、３ｃ）に通知し、この信号を子機３が検知して子機３はフレーム送信毎に親機１との間で送信許可の申請処理（ＩＤ交換など）を行い、親機１からの送信許可を得てから子機３が親機１に送信を開始するという、いわゆる半二重通信によって上述した反射光の問題を回避するものである。
【０００８】
つまり、図２に示すように、親機１は光回線が空いているときにはそのことを配下の子機３に報知するための光回線空き報知信号ＥＰ（ＩＤＬＥバースト）を複数の子機３に対して送信する。例えば端末４ａが接続された子機３ａは、この親機１から送られてくる報知信号をキャリアセンス回路を用いて検出し、このとき、端末４ａから送られてきたフレームＦ１があれば、光回線空き信号ＥＰの受信後、親機１に対して送信申請信号ＲＱを送信し、親機１からの許可信号ＡＫを受信した後に端末４ａから受信していたフレームＦ１を親機１に対して送信する。また、親機１は幹線２からフレームＦ２を受信したら、子機３への光回線空報知信号ＥＰの送信を停止し、幹線２より受信したフレームＦ２を子機３に対して光送信する。
【０００９】
また、同様に図３に示すように同じ無線ゾーン内の子機３ａから子機３ｂへフレームＦ１が送信されるときには、親機１が子機３ａから送られるフレームＦ１を受信し終わったら、そのフレームＦ１を光回線側に折り返して送信する。
【００１０】
さらに従来例では図４、図５に示すように、子機３ａは端末４ａからのフレームＦ１を光回線に送出中や、自身の折り返しフレームＦ１を受光しているときに、端末４ａから次のフレームＦ２が送られてきた場合、端末４ａ側に送信データの受け取りを抑制するための抑圧信号（ＤＭＹ信号）を送信して、端末４ａの送信を抑圧し、端末４ａへ送信停止及び再送処理に入ることを促す。このような手法によって１：Ｎ（親機：子機）の光半二重通信システムを実現している。
【００１１】
【発明が解決しようとする課題】
しかしながら、このような方式では、子機３が親機１へフレームを送信する際に交わす半二重送信処理（送信申請、送信許可）や受信同期を取るための光プリアンブルなどを必要とするため、通信でのオーバーヘッドがあり、その通信性能をいかに発揮させるかが重要である。また、このようなシステムでは、先（図４、図５）に述べたように、子機３ａが端末４ａから送られる次のフレームＦ２を受け取れない（光送信できない）場合、端末４ａ側を抑圧し、端末４ａにデータの再送を促すことになる。もちろん、子機３が十分な一時記憶装置（メモリ）を搭載できれば、そのようなケースの発生も少なくすることができるが、回路規模（スペース・消費電力）やコスト面を考えると、いかに小容量のメモリで実現するかが重要なことになる。そこで、必要最小限のメモリでシステムを実現するとなると、前述した子機３が端末４を抑圧するケースが多くなり、通信性能に悪影響を及ぼすことになる。
【００１２】
これは、本システムが適用される代表的な例としてＥｔｈｅｒｎｅｔ（Ｒ）を考えると、その規格上、衝突再送時間の制御は衝突回数が重なれば次の再送までの時間が飛躍的に大きくなって行く傾向にあることからも、一度に何回もの衝突が発生することは通信性能上、避けたほうが良いことは想像できる。さらに、Ｅｔｈｅｒｎｅｔ（Ｒ）の規格では連続して起こる衝突は１６回までとされており、それ以上の衝突があった場合にはそのフレームは消滅し、ネットワークプロトコル上のさらに上位層（アプリケーションレベル）で再送することになり、このような状況が発生すると、大幅な性能のロスと成ってしまう。
【００１３】
本発明は、端末への抑圧を効率に行ってその抑圧回数を減らし、システムの通信性能を改善することができる半二重光通信子機装置を提供することを目的とする。
【００１４】
【課題を解決するための手段】
本発明は上記目的を達成するために、連続した抑圧信号（送信データの受け取りを抑制するための信号）により端末のデータ送信を抑圧するようにしたものである。
【００１５】
すなわち本発明によれば、データのやり取りを行う端末が接続されており、半二重光通信によって半二重光通信親機装置との間で前記データの送受信を行う半二重光通信子機装置であって、
前記半二重光通信親機装置に送信するための送信データを前記端末から受け取り一時記憶する一時記憶手段と、
前記一時記憶手段に前記送信データを記憶するための空き領域が存在しないときに、前記一時記憶手段に前記送信データを記憶するための空き領域が確保されるまで前記端末からの送信データの受け取りを抑制する抑制手段とを、
備えたことを特徴とする半二重光通信子機装置が提供される。
【００１６】
【発明の実施の形態】
以下、本発明の好ましい実施の形態について図面を参照しながら詳細に説明する。図１には、本発明の一実施の形態としての光無線通信子機装置である子機３を含む光無線通信システムの主要部の概略構成を示す。本実施の形態の光無線システムは、フレーム（パケット）送信によってデータを送受信するイーサネット（登録商標）（Ｅｔｈｅｒｎｅｔ（Ｒ））などの幹線系ネットワーク（単に幹線ともいう）２に接続されるシステムであり、図１に示すように、幹線２と端末（例えばパーソナルコンピュータ）４（４ａ、４ｂ、４ｃ）との間を、親機としての光無線通信装置１（以下、親機１とする）及び子機としての光無線通信装置３（３ａ、３ｂ、３ｃ）（以下、子機３とする）による半二重光通信を使用して接続するものである。なお、端末４には、パーソナルコンピュータなどの他に、ネットワークインターフェースカード（Ｎｅｔｗｏｒｋ　Ｉｎｔｅｒｆａｃｅ　Ｃａｒｄ：ＮＩＣ）やハブ（ＨＵＢ）などの中継機も含まれる。
【００１７】
図２は、図１で示すような幹線２につながる親機１と、端末４ａに接続された子機３ａの間での基本的通信タイミングを示したものである。この図では、端末４ａが発生したフレームＦ１を子機３ａから親機１に送信する場合、及び幹線２から親機１に対して送られてきたフレームＦ２を子機３ａへ送信する基本的タイミングを示している。まず、この図において、親機１は光回線が空いていることを知らせる光回線空き信号ＥＰを全ての子機３に対して送信している（図中▲１▼で示す回線空き区間）。全ての子機３は、この親機１からの光回線空き信号を検出する。
【００１８】
例えば子機３ａは、端末４ａからＴ２のタイミングで送られるフレームＦ１を受信したら、Ｔ１で検出していた親機１からの光回線空き信号ＥＰの受信が終了したら、親機１に対して図中Ｔ３のように、光回線の使用を求める光回線送信申請信号ＲＱに光プリアンブル（光Ｐ）を付加して光送信する。この光回線送信申請信号ＲＱを受け取った親機１は、光回線の使用が可能であるとき、子機３ａに対して図中Ｔ４のように、光回線の使用を許可するための光回線送信許可信号ＡＫに光プリアンブル（光Ｐ）を付加して光送信し、子機３ａからフレームＦ１が送られてくるのを待つ。
【００１９】
子機３ａは親機１から光回線送信許可信号ＡＫを受け取った場合に、端末４ａから受け取ったフレームＦ１を図中Ｔ５のように光プリアンブル（光Ｐ）を付加してフレームＦ１を親機１に対して光送信する。このとき、端末４ａからのフレームＦ１は子機３ａによって一時的にＦＩＦＯなどの記憶装置に確保され、送信申請処理を終えるまで遅延させられる。子機３ａからフレームＦ１を受信した親機１は、これを幹線２へ送信する（図中▲２▼で示す区間）。
【００２０】
次に、幹線２からＴ９のタイミングでフレームＦ２を受信した親機１は、光プリアンブルを付加してＴ１０のタイミングで子機３ａへフレームＦ２を送信する。このフレームＦ２を受信した子機３ａはＴ１１のタイミングにおいてフレームＦ２を端末４ａへ送信する（図中▲３▼で示す区間）。
【００２１】
また、ここでは説明を簡略化するために、親機１が幹線２へフレームＦ１を送信する場合（Ｔ７）、及び子機３ａが端末４ａへフレームＦ２を送信する場合（Ｔ１１）において親機１−幹線２間及び子機３ａ−端末４ａ間での衝突がない場合について記載しているが、当然衝突が生じた場合には親機１及び子機３ａは再送処理を行う（再送処理機能を持たない場合には物理層レベルではフレームロスになる）。つまり当然そのための記憶装置を親機１、子機３共に備えるものであり、再送能力（可能回数）はその記憶装置の容量に依存するものである。
【００２２】
また、子機３ａが端末４ａからフレームＦ１を受け取り、親機１へ送信申請が認められない（できない）場合などには端末４ａへ抑圧信号を送出して端末４ａからの送信を停止させる。これは、端末４からのフレームを子機３が記憶するための十分の記憶装置を備えていない場合であり、子機３が十分な記憶装置を備えている場合は、その記憶装置の容量が許す限り端末４を抑圧する必要はないことは言うまでも無いことである。
【００２３】
また、このシステムは、一つの親機１が複数の子機３間での通信を中継する役割も持つものであり、そのような場合にはある子機３から送信されたフレームが親機１によって光回線側へ折り返して送信されることになる。この様子を図３を用いて説明する。この図３は、端末４ａが発生したフレームＦ１を子機３ａから親機１に送信し、親機１がそのフレームＦ１を幹線２及び光回線側の子機３ｂへ折り返して送信する場合の基本的タイミングを示している。
【００２４】
まず、この図において、親機１は光回線が空いていることを知らせる光回線空き信号ＥＰを全ての子機３に対して送信している（図中▲１▼で示す区間）。全ての子機３は、この親機からの光回線空き信号を検出する。子機３ａは端末４ａからＴ２のタイミングで送られるフレームＦ１を受信すると、Ｔｌで検出していた親機１からの光回線空き信号ＥＰの受信が終了したら、親機１に対して図中Ｔ３のように、光回線の使用を求める光回線送信申請信号ＲＱに光プリアンブル（光Ｐ）を付加して光送信する。この光回線送信申請信号ＲＱを受け取った親機１は、光回線の使用が可能であるとき、子機３ａに対して図中Ｔ４のように、光回線の使用を許可するための光回線送信許可信号ＡＫに光プリアンブル（光Ｐ）を付加して光送信し、子機３ａからフレームＦ１が送られてくるのを待つ。
【００２５】
子機３ａは親機１から光回線送信許可信号ＡＫを受け取った場合に、端末４ａから受け取ったフレームＦ１を図中Ｔ５のように光プリアンブル（光Ｐ）を付加してフレームＦ１を親機１に対して光送信する。このとき端末４ａからのフレームＦ１は子機３ａによって一時的にＦＩＦＯなどの記憶装置に確保され、送信申請処理を追えるまで遅延させられる。子機３ａからフレームＦ１を受信した親機１は、これを幹線２へ送信する（図中▲２▼で示す区間）。
【００２６】
親機１は、このフレームＦ１を幹線２へ送信する際、親機１はそのフレームＦ１のアドレス情報などからこのフレームＦ１が光回線側へも送信する必要があると判断した場合には、子機３ａからのフレームＦ１の受信終了後、このフレームＦ１をＴ８のタイミングにて折り返して光回線側へ送信する（当然、親機１には、この折り返し送信を行うためのメモリが必要である）。親機１によって折り返し送信されたフレームＦ１は、その配下の子機３ａ及び子機３ｂによって受光される。このとき、子機３ａでは、このフレームＦ１が廃棄され、子機３ｂにおいてはＴ９のタイミングでフレームＦ１を端末４ｂへ送信する（図中▲３▼で示す区間）。
【００２７】
本システムでは、上述したような基本手順で子機３−親機１間及び親機１を中継機とした子機３間の通信が実現されているが、このようなシステムでは、子機３から親機１への送信申請などの手順を必要としているため、子機３が親機１にフレームを送信するまでには大きな遅延が発生する。このため、子機３の一時記憶装置に余裕が無い場合では、端末４からの次フレームが受け取ることができない場合が発生し、子機３が端末４側を抑圧して、端末４からの送信を適時制御する必要がある。また、このシステムは半二重通信を必要としているため、親機１が子機３からのフレームを折り返して光回線へ送信する場合などには、端末４からの次フレームを送信することができないため、回線が空くまで子機３は端末４を抑圧しなくてはならない。
【００２８】
以上のことを図４及び図５を用いて説明する。図４は、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信されている場合に、端末４ａから次のフレームＦ２が送信されてきた場合の子機３ａから端末４ａに対する抑圧タイミングを示している。この図のように、子機３ａがＴ６のタイミングで端末４ａからのフレームＦ１を光送信しているとき、端末４ａから次フレームＦ２−１が送信されてくると、子機３ａはＴ８のタイミングで端末側へ抑圧信号ＤＭＹを送信する。
【００２９】
これによって、端末４ａは送信中のフレームＦ２−１の送信を停止し、ある時間Ｔ−ｆ−ｇａｐ１の間隔をあけて、もう一度フレームをフレームＦ２−２として再送する。この図では、この再送フレームＦ２−２が端末４ａから送信されてきたときもまだ子機３ａが前のフレームＦ１を光送信し終わっていないため、再度、子機３ａはＴ９のタイミングで抑圧信号ＤＭＹを端末４ａ側に送信し、端末４ａへ再送を促す。
【００３０】
子機３ａによって再送を促された端末４ａは、ある時間Ｔ−ｆ−ｇａｐ２の間隔を空けて再びフレームをフレームＦ２−３として送信する。ここで、ようやく子機３ａが前のフレームＦ１の送信が終了していると同時に、親機１からの回線空き信号ＥＰが確認でき、フレームＦ２−３は子機３ａから親機１との送信手続きを踏んで光回線へ送信されることになる。
【００３１】
一方、図５は、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信され、親機１によってそのフレームＦ１が光回線へＴ８のタイミングで折り返し送信されている場合に、端末４ａから次のフレームＦ２が送信されてきた場合の子機３ａから端末４ａに対する抑圧タイミングを示している。この図のように、子機３ａが送信したフレームＦ１が親機１によって折り返し送信されているとき、端末４ａから次フレームＦ２−１が送信されてくると、子機３ａはＴ８のタイミングで端末４ａ側へ抑圧信号ＤＭＹを送信する。これによって、端末４ａは送信中のフレームＦ２−１の送信を停止し、ある時間Ｔ−ｆ−ｇａｐ１の間隔を開けてもう一度フレームをフレームＦ２−２として再送される。
【００３２】
この図では、この再送フレームＦ２が端末４ａから送信されてきたときは、まだ子機３ａが折り返しフレームＦ１を受光し終わっていないため、再度、子機３ａはＴ９のタイミングで抑圧信号ＤＭＹを端末４ａ側に送信し、端末４ａへ再送を促す。子機３ａによって再送を促された端末４は、ある時間Ｔ−ｆ−ｇａｐ２の間隔を空けて再びフレームをフレームＦ２−３として送信する。ここで、ようやく子機３ａが折り返しフレームＦ１の受光が終了していると同時に、親機１からの回線空き信号ＥＰが確認できたことにより、フレームＦ２−３は子機３ａから親機１との送信手続きを踏んで光回線へ送信されることになる。
【００３３】
このように、子機３が端末４からの送信フレームを受け取れない場合には子機３が端末４へ抑圧信号ＤＭＹを送信し、送信中のフレーム停止とその再送を促すことで、送信フレームの喪失を防いでいる。しかしながら、図４及び図５で示したように、子機３からの抑圧信号ＤＭＹを受けた端末４は、フレーム停止後、抑圧信号ＤＭＹが途切れたらすぐにフレームを再送しようとする場合が高い。特に最初の抑圧を受けた後の再送は、最小フレーム間ギャップＴ−ｆ−ｇａｐ１をおいて送られてくる。しかし、図４や図５で示すような場合では、このタイミングで再送フレームが端末から送信されてきてもまだ受け取ることができない場合のほうが多く、再び抑圧することになる。
【００３４】
ところが、Ｅｔｈｅｒｎｅｔ（Ｒ）の規格上、再送は回数を重ねるごとにその間隔が広くなると言う傾向にあり、何度も同じフレームを抑圧すると再送までのフレーム間ギャップＴ−ｆ−ｇａｐｎが極端に広くなってしまう。これは、このような状態が頻繁に起こると通信性能に不要な負荷をかけてしまうことが容易に予想できる。さらに、Ｅｔｈｅｒｎｅｔ（Ｒ）では再送の回数の上限が１６回となっており、それ以上が必要の際にいったん、物理層レベルではフレームが喪失されることになり、上位層による再送などでその通信を補っている（もちろん上位層に再送機能がある場合のみである）。このため、必要以上に抑圧を行うとこの１６回の再送回数を越えてしまうケースが生じる。これによって、物理層レベルでのフレーム喪失が生じ、極端に通信性能の低下を招くことになる。
【００３５】
そこで、本発明は、このような子機３から端末４を抑圧する必要が生じたときに、必要以上に不要な抑圧をすることなく、適切に回線を制御することを実現している。以下、図６から図１０を用いてその実行例のタイミングを説明する。
【００３６】
図６では図４に示したケースに対する改善（本発明）を示すものである。　この図６のように、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信されている場合に、端末４ａから次のフレームＦ２が送信されてきた場合の子機３ａから端末４ａに対しての抑圧タイミングを示している。
【００３７】
この図のように、子機３ａがＴ６のタイミングで端末４ａからのフレームＦ１を光送信しているとき、端末４ａから次のフレームＦ２−１が送信されてくると、子機３ａはＴ８のタイミングで端末４ａ側へ抑圧信号ＤＭＹを送信する。これによって、端末４ａに送信中のフレームＦ２−１の送信を停止させる。さらに子機３ａは、自身が先に受けったフレームＦ１を光送信している間（又は次の回線空き信号ＥＰを検出するまでの間）、この端末４ａへの抑圧信号ＤＭＹを連続して端末４ａ側へ送信し続ける。これにより、端末４ａはフレームＦ２を子機３ａからの抑圧信号の終了（フレームＦ１送信終了）後、Ｔ−ｆ−ｇａｐ１を確保して再送フレームＦ２−２として子機３ａへ送信することになる。
【００３８】
図７は図６と同様に図４に示したケースに対する改善（本発明）の一例を示すものである。これは、子機３は端末４からフレームを受け、光回線へ送信を行っているとき、端末４からのフレームの受信が終わったら、いったん端末４へ抑圧信号を送信し、光回線側へ送信中のフレームが終わるまでの間、端末４を抑圧し続けるものである。
【００３９】
つまり、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信されている場合、子機３ａは端末４ａからのフレームの有無に関わらずフレームＦ１の光送信が終わるまで（又は次の回線空き信号ＥＰを検出するまで）の間、子機３ａはＴ８のタイミングで端末４ａへ抑圧信号ＤＭＹを送信し続け、端末４ａからの不用意な送信を防止する。これにより、端末４ａはフレームＦ２を子機３ａからの抑圧信号の終了（フレームＦ１送信終了）後、Ｔ−ｆ−ｇａｐ１を確保して再送フレームＦ２−１として子機３ａへ送信することになる。
【００４０】
次に、図８には図５に示したケースに対する改善（本発明）を示す。この図８は、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信され、親機１によってそのフレームＦ１がタイミングＴ８で光回線へ折り返し送信されている場合に、端末４ａから次のフレームＦ２が送信されてきた場合の子機３ａから端末４ａに対しての抑圧タイミングを示している。
【００４１】
この図のように、親機１がＴ８のタイミングで子機３ａからのフレームＦ１を光回線へ折り返し送信しているとき、端末４ａから次のフレームＦ２−１が送信されてくると、子機３ａはＴ９のタイミングで端末４ａ側へ抑圧信号ＤＭＹを送信する。これによって、端末４ａに送信中のフレームＦ２−１の送信を停止させる。さらに子機３ａは、自身が先に親機１へ送ったフレームＦ１が親機１から折り返し送信されてきている間（又は次の回線空き信号ＥＰを検出するまでの間）、この端末４ａへの抑圧信号を連続して送信し続ける。これにより、端末４ａはフレームＦ２を子機３ａからの抑圧信号の終了（折り返しフレームＦ１受光終了）後、Ｔ−ｆ−ｇａｐ１を確保して再送フレームＦ２−２として子機３ａへ送信することになる。
【００４２】
図９は図８と同様に図５に示したケースに対する改善（本発明）の一例を示すものである。これは、子機３は端末４からフレームを受け、光回線へ送信を行った後、そのフレームが親機１によって折り返して光送信されてきた場合、子機３は端末４へ抑圧信号を送信し、折り返しフレームの受信が終わるまでの間、端末４を抑圧し続けるものである。
【００４３】
つまり、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信され、親機１からタイミングＴ８でそのフレームＦ１を折り返し光送信される場合、子機３ａは端末４ａからのフレームの有無に関わらず折り返しフレームＦ１の光受信をしている（又は次の回線空き信号ＥＰを検出するまで）の間、子機３ａはＴ９のタイミングで端末４ａ側へ抑圧信号ＤＭＹを送信し、端末４ａからの不用意な送信を防止する。これにより、端末４ａは次のフレームＦ２を子機３ａからの抑圧信号の終了（折り返しフレームＦ１の受光終了）後、Ｔ−ｆ−ｇａｐ１を確保して再送フレームＦ２−１として子機３ａへ送信することになる。
【００４４】
さらに、図１０は図７及びは図９の手法をあわせた改善法（本発明）の一例を示すものである。これは、子機３は端末４からフレームを受け、光回線へ送信を行っているとき、端末４からのフレームの受信が終わったら、いったん端末４へ抑圧信号を送信し、光回線側へ送信中のフレームが終わるまでの間、端末４を抑圧し続ける。さらにその後、親機１からフレームが折り返されてきたなら端末４への抑圧信号を引き続き折り返しフレームの受光が終わるまで送信し続けるものである。
【００４５】
つまり、端末４ａが発生したフレームＦ１に対して、子機３ａ−親機１間でＴ１〜Ｔ４で示した回線空き信号ＥＰ、送信申請ＲＱ、送信許可ＡＫの手順を踏み、子機３ａから親機１にＴ６のタイミングでフレームＦ１が送信されている場合、子機３ａは端末４ａからの次のフレームの有無に関わらず、フレームＦ１の光送信が終わるまでの間、Ｔ８のタイミングで端末４ａ側へ抑圧信号ＤＭＹを送信し、さらに、フレームＦ１の送信が終了後、親機１から折り返しフレームＦ１が送信されてきた場合には、端末４ａへの抑圧信号ＤＭＹをそのまま折り返しフレームＦ１の受光が終了するまで送信し続けるものであり、端末４ａからの不用意な送信を防止する。これにより、端末４ａは次のフレームＦ２を子機３ａからの抑圧信号ＤＭＹの終了（フレームＦ１送信終了）後、Ｔ−ｆ−ｇａｐ１を確保して再送フレームＦ２−１として子機３ａへ送信することになる。
【００４６】
次に、上述したような子機３−親機１間での半二重通信を実現する光無線通信システムの親機１、子機３の具体的構成の一例をそれぞれ図１１、図１２に示す。図１１に示す親機１において，制御手段（以下、「手段」を「部」と称す）１３は親機１の全体の動作を制御するとともに、幹線２との間の通信制御、子機３との間の半二重光通信制御を行うものであり、幹線１及び光回線側から受信したフレームの送信先などもこの部分で管理する。また、親機１は子機３との間で光による無線通信を行うための構成として、広範囲に光を出力し、各信号を光信号として送信するための光回線送信部１９と、広範囲からの光を受光して光信号を電気的デジタル信号として受信する光回線受信部１１を有する。
【００４７】
光回線受信部１１で受けられた光信号は、電気的デジタル信号として光回線フレーム受信部８、光回線フレーム検出部９、光回線送信申請信号検出部１０へ入力される。光回線フレーム受信部８では、光回線受信部１１から入力された信号を光回線フレーム検出部９の検出結果に従い、幹線２へ送信するフレームを幹線２への送信タイミングまで確保し、制御部１３の制御に従い出力信号切替部６へ出力する。
【００４８】
光回線フレーム検出部９は光回線受信部１１からの入力信号からフレームを検出し、光回線フレーム受信部８に受信フレームを指示する。光回線送信申請信号検出部１０は光回線受信部１１から入力された信号から配下の任意の子機３から送られた光回線送信申請信号を検出し、そのことを制御部１３へ送信し、検出した送信申請信号の情報（どの子機３からの申請かなどを示すＩＤなど）を光回線送信許可信号発生部３７へ伝送する。光回線送信許可信号発生部３７は光回線送信申請信号検出部１０によって検出され抽出された申請情報（ＩＤなど）を用いて送信申請信号を送ってきた子機３へ光回線送信許可信号を制御部１３の指示に従って光送信信号切替部１８へ送信する。
【００４９】
有線回線側の抑圧擬似信号発生部７は、制御部１３の指示に従い、幹線２からの信号を抑圧する必要が生じた際に抑圧擬似信号を発生し、有線出力信号側の切替部６へ抑圧擬似信号を送信する。有線出力信号切替部６は光回線フレーム受信部８からのフレームと有線回線の抑圧擬似信号発生部７からの抑圧擬似信号を受け、制御部１３の指示に従い各信号を随時適切に切り替えて有線回線送信部５へ送信する。有線回線送信部５は有線出力信号切替部６からの信号を幹線出力信号として幹線２へ出力する。
【００５０】
有線回線受信部１４は、幹線２からのデータを受信し、受信したデータを有線回線フレーム検出部１５及び光回線送信タイミング遅延部１６へ送信する。有線回線フレーム検出部１５は有線回線受信部１４より送られてきた受信データからフレームを検出して制御部１３へ検出結果を送信すると同時に、光回線送信タイミング遅延部１６に対してもフレーム検出の結果を送信する。光回線送信タイミング遅延部１６は有線回線受信部１４から送られた信号から有線回線フレーム検出部１５のフレーム検出結果を元にフレームをＦＩＦＯなどの一時記憶装置に待機させ、制御部１３の指示によって光回線送信タイミングにおいて待機させていたフレームを光回線出力切替部１８へ送信する。
【００５１】
光プリアンブル発生部１７は制御部１３の指示に従い、フレームの光送信時にフレームの前に同期信号として付加するプリアンブル信号を生成し、光回線出力切替部１８に送信する。光回線空き報知信号発生部１２は制御部１３の指示に従い光回線が空いている際に配下の子機３へ光回線が空いていることを知らせるための光回線空き報知信号を発生し、光回線出力信号側の切替部１８へ送信する。光回線出力信号切替部１８は光回線送信許可信号発生部３７からの光回線送信許可信号、光回線空き報知信号発生部１２からの光回線空き報知信号、光プリアンブル発生部１７からの光プリアンブルそして光回線送信タイミング遅延部１６からのフレームの各データを制御部１３の適切な指示に随時従い、光回線送信部１９へ切り替えて送信する。光回線送信部１９は光回線出力信号切替部１８によって適切に切り替え出力されたデータを光信号として光回線へ送信する。
【００５２】
次に図１２を参照して子機３の具体的構成の一例を説明する。図１２に示す子機３において，制御部２７は子機３の全体の動作を制御するとともに、当該端末４との間の通信制御、親機１との間の半二重光通信制御を行うものである。また、ここでは自身の受信記憶装置の空き容量などを管理し、当該端末４からの送信フレームを受信できるかを判断し、その判断に応じて当該端末４側への抑圧動作も制御している。
【００５３】
また、子機３は親機１との間で光による無線通信を行うための構成として、狭い範囲に光を出力し、各信号を光信号として送信するための光回線送信部２０と、親機１からの光を受光して光信号を電気的デジタル信号として受信する光回線受信部２８を有する。有線回線受信部２６は当該端末４からの信号を受信し、光回線送信タイミング遅延部２４、有線回線フレーム検出部２５及び有線回線無信号時間計測部３６へ受信データを送信する。
【００５４】
有線回線無信号時間計測部３６は、有線回線受信部２６で受信され、有線回線フレーム検出部２５で検出されたフレームをし終えてから有線回線からの信号が無信号（フレームが来ない）状態になっている間を計測し、その計測結果を制御部２７へ送る。有線回線フレーム検出部２５は有線回線受信部２６によって受信された当該端末４からの信号から光回線へ送出するフレームを検出し、その検出結果を制御部２７へ送り、同様に検出結果を光回線送信タイミング遅延手段２４へ送る。光回線送信タイミング遅延部２４は有線回線受信部２６で受信された信号から有線回線フレーム検出部２５の検出結果に従いフレームをＦＩＦＯなどの一時記憶装置に待機させ、制御部２７の指示に従って、待機させていたフレームを光回線出力信号切替部２１へ送信する。
【００５５】
光回線送信申請信号発生部２３は制御部２７の指示に従い、当該端末４からフレームが送信されてきて親機１から光回線への送信許可を必要とする場合に光回線送信申請信号を発生し、光回線出力信号切替部２１へ光回線送信申請信号を送信する。光プリアンブル発生部２２は制御部２７の指示により、フレームの光送信の前に親機１の受信時の同期信号としてのプリアンブルを発生し、光回線出力信号切替部２１へ光プリアンブルを送信する。
【００５６】
光回線出力信号切替部２１は、光回線送信タイミング遅延部２４からのフレーム、光回線送信申請信号発生部２３からの光回線送信申請信号及び光プリアンブル発生部２２からの光プリアンブルの各信号を制御部２７の適切な指示に随時従い、各々の信号を切り替えて光回線送信部２０へ送信する。光回線送信部２０は光送信のための発光部を備え、光回線出力信号切替部２１から送られる各信号を親機１へ光信号として送信するものであり、また、制御部２７の制御によって発光及び発光停止を制御できる。
【００５７】
光回線受信部２８は、親機１から送られて来る光信号を受信し、電気的信号としてキャリアセンス手段３８、光回線空き報知信号判断手段３０、光回線送信許可信号検出部３１、光回線フレーム検出部２９、有線回線送信タイミング遅延部３２へ受信信号を送信する。キャリアセンス手段３８は、光回線受光部２８から親機１からの送信信号を電気信号として受け、その信号から親機１からの送信キャリアを検出し、光回線空き報知信号判断手段３０によって光回線空き報知信号の検出及び選別を行い、その結果を制御部２７へ送る。
【００５８】
光回線送信許可信号検出部３１は、光回線受信部２８から送られてきた受信信号から親機１が自己の子機３に対して光回線へのフレーム送信を許可する光回線送信許可信号を検出し、その結果を制御部２７へ送る。光回線フレーム検出部２９は、光回線受信部２８から送られる受信信号から親機が送信した光送信フレームを検出し、その結果を制御部２７へ送ると同時に、有線回線送信タイミング遅延部３２へ送り、フレームの一時待機を指示する。有線回線送信タイミング遅延部３２は、光回線受信部２８から送られた受信信号から、光回線フレーム検出部２９のフレーム検出結果に従い、検出したフレームをＦＩＦＯなどの一時記憶装置にいったん待機させ、制御部２７の当該端末４への送信指示に従って有線出力信号切替部３４へ待機させていたフレームを送信する。
【００５９】
有線回線側の抑圧擬似信号発生部３３は、制御部２７の適切な指示に従って、有線接続された当該端末４からの送信の抑圧を必要とした場合に抑圧擬似信号を発生して有線出力信号切替部３４へ送る。有線出力信号切替部３４は、有線回線送信タイミング遅延部３２からのフレーム信号及び有線回線抑圧擬似信号発生部からの抑圧擬似信号とを受け、制御部２７の適切な指示に随時従いこれらのフレーム信号と抑圧信号を随時切り替え、有線回線送信部３５へ送信する。有線回線送信部３５は、有線出力信号切替部３４より送られる信号を端末４側の有線回線へ送信する。
【００６０】
次に、上述した図１１の構成の親機１及び図１２の構成の子機３において、前記図６，図８の送受信タイミングイメージで説明したような通信手順を実現する場合の処理の流れを説明する。まず、図１３には幹線２を介して送られてきたフレームを親機１が受信し、このフレームを配下の子機３に送信するまでの親機１における処理の流れ（主に制御部１３の制御動作の流れ）を示す。
【００６１】
この図１３において、まず、親機１の制御部１３は、ステップＳ１の処理として、子機３との間で光通信が行われているか否かを監視し、光回線が使われていないときに光回線空き報知信号を配下の子機３に向けて光送信する。次に、ステップＳ２で幹線２からの信号を監視し、幹線２からフレームが送られてこなければ、光送信制御状態としては幹線２からのフレーム待ちとなり、幹線２からフレームを受信した場合には次のステップ４６においてそのフレームを光回線側へ送信する必要があるかを判断する。
【００６２】
この判定で光側へ送信する必要があれば次ステップＳ３へ移り、幹線２から受け取ったフレームを光回線へ出力できるか否かを光回線の状態によりチェックする。もし、光回線が子機３などによって利用されている場合にはステップＳ８へ進んで幹線２へ抑圧信号を送信し、続くステップＳ９で幹線２からのフレーム送信の停止を確認し、ステップＳ１０で抑圧信号を停止し、改めてステップＳ２において幹線２からのフレームが受信されるまで待機する。
【００６３】
もし、ステップＳ３において光回線が空いていればステップＳ４に進み、幹線２からのフレームをＦＩＦＯなどの一時記憶装置へ光回線送信タイミングまで待機させておき、次のステップＳ５で子機３へ送出していた光回線空き報知信号を停止し、次のステップＳ６でフレーム送信の前に子機３が受信時に同期を取るための光プリアンブルを送信し、これに続いてステップＳ５で一時待機させていたフレームをステップＳ７で光送信する。フレームを送信し終えたら、ステップＳ４５で子機３へ光回線が空いたことを知らせるために光回線空き報知信号を送出し、再びステップＳ２で幹線２からのフレーム受信まで待機する。
【００６４】
次に、図１４には配下の子機３から光送信申請があり、それを親機１が許可して子機３から光送信され送られてきたフレームを親機１が受信し、このフレームを幹線２へ送信するまでの、親機１における処理の流れ（主に制御部１３の制御動作の流れ）を示す。図１４において、ステップＳ１１の処理として、子機３からの光回線送信申請信号があるか否かを光回線送信申請信号検出部１０の検出結果を基に監視し、もし、子機３からの送信申請信号があれば、ステップＳ１２へ進んで光回線空き報知信号を停止し、次いでステップＳ１３へ進み、子機３から受け取った送信信号の子機識別情報（ＩＤなど）を組み込んだ光回線送信許可信号を光プリアンブルを付加して光回線へ送信する。
【００６５】
送信許可信号を送出したら、ステップＳ１４において子機３からのフレーム光送信を待ち、ある一定時間内にフレームが来ない場合にはステップＳ１６においてタイムアウトし、次いでステップＳ１７で幹線２からのフレームが送られてきていないのを確認して、再び光回線を配下の子機３へ開放するためステップＳ１８で光回線空き報知信号を送出する。もし、ステップＳ１７で幹線２からフレームが来ている場合には、ステップＳ１９で光プリアンブルを付加して光送信する。ここでは、幹線２からのフレームの光送信をステップＳ１７及びステップＳ１９で簡単に表現しているが、この幹線２からのフレームの光送信フローは先に説明した図１３のフローによって動作する。
【００６６】
さて、ステップＳ１４において子機３からフレームを光受信できた場合には、ステップＳ４７において光受信したフレームを一時記憶装置にいったん確保し、次いでステップＳ１５においてこの受信フレームをタイミングを見計らって幹線２へ送信する。次に、ステップＳ４８においてこの受信されたフレームが、光回線への折り返し送信が必要かどうかを判断し、必要なければ再びステップＳ１４において次フレームを待機する。もし、ステップＳ４８において折り返し送信が必要と判断された場合には、次のステップＳ４９において子機からの送信フレームの受信が終了されたかを判断（待機）し、受信終了後、ステップＳ５０によって子機３からのフレームを折り返し送信する。
【００６７】
次に、図６及び図８の送信タイミングイメージで説明したような通信を実現するための子機３の動作について説明する。まず、図１５には親機１から送られてきたフレームを子機３が受信し、このフレームを有線回線で接続された端末４へ送信するまでの子機３における処理の流れ（主に制御部２７の制御動作の流れ）を示す。図１５では、まず、ステップＳ２０において親機１からフレームが送出されてきていないか否かを監視し、もし親機１からの光送信フレームがあれば次のステップＳ５１において自身の送信したフレームの折り返しフレームかどうかを判断する。
【００６８】
もし、折り返しフレームでなければ、ステップＳ２１においていったんＦＩＦＯの一時記憶装置に光受信したフレームを確保しておき、次にステップＳ２２において有線回線に端末４からのフレームが来ていないかを確認し、もし端末４からフレームが送られてきていればステップＳ５２からステップＳ２５に移り、いったん、端末４からのフレーム送信を抑圧するために抑圧擬似信号を有線側に送出する。その後、ステップＳ２２に戻り有線回線が空いたなら、ステップＳ２３でもしこのとき抑圧擬似信号を送出中ならこのステップ２３でそれを停止し、次のステップＳ２４において、ステップＳ２１において待機させておいたフレームを有線回線へ送出し端末４への送信を行う。
【００６９】
ステップＳ５１で親機１からの受信フレームが折り返しフレームと判定された場合には、ステップＳ２２に移って有線回線側を監視し、端末４からフレームが送信されてきていたなら、ステップＳ５２からステップＳ５３に行き、端末４へ抑圧信号を送信し始める。その後、ステップＳ５４で受信中の折り返りフレームが終わるのを待って、ステップＳ５５で端末４へ送信していた抑圧信号を停止し、ステップＳ２０へ戻る。また、この場合には抑圧信号を折り返しフレームのスタートビットやアドレスフィールドを破壊（別データに置換）したデータを用いることで回路の簡素化を実現することができる。
【００７０】
図１６には、子機３において、端末４から送られてきたフレームを子機３が光回線を通して親機１へ送信するまでの、子機３における処理の流れ（主に制御部２７の制御動作の流れ）を示す。この図では、ステップＳ２６において端末４からのフレームの送信があるかを監視・待機し、もしフレームが送信されてきていればステップＳ５６において自身が前フレームを送信中（メモリーが空いている）かを判断し、前フレームの送信中であればステップＳ５７によって子機３は端末４へ抑圧信号を送信し始める。そして、ステップＳ５８で光送信中のフレーム送信が送信するまで待機し、光送信終了でステップＳ５９によって端末４側への抑圧信号を停止し、再びステップＳ２６で端末４からのフレーム送信まで待機する。
【００７１】
ステップＳ５６で子機３が前フレームを送信中で無ければステップＳ２７において一時記録装置へ保存する。端末４からフレームを受け取った子機３は、ステップＳ２８において光回線の空きを親機１からの光回線空き報知信号で判断する。子機３は端末４からフレームを受け取ってから一定の時間内に光回線空き報知信号を検出できない場合にはステップＳ３５でタイムアウトし、次いでステップＳ３７において子機３は端末４側へ抑圧信号を送信し、次いでステップＳ３８で端末４から送信されていたフレームの停止を確認して、ステップＳ３９において端末への抑圧信号を停止する。
【００７２】
一方、ステップＳ２８で規定の期間内に光回線の空きを検出できたなら、ステップＳ２９で子機３は親機１に対して光回線への送信申請信号を送信し、次いでステップＳ３０で親機１からの送信許可信号を待つ。ここで、もし、親機１からの許可信号が一定時間内に得られない場合には、ステップＳ３６でタイムアウトしてステップＳ３７、Ｓ３８、Ｓ３９によって端末４へ抑圧信号を送信する。ステップＳ３０において、無事、親機１から送信許可が得られた場合には、ステップＳ３１で同期用の光プリアンブルを送信し、これに続いてステップＳ３２で一時待機させていたフレームを光回線へ送信し、次いでステップＳ２６に戻って端末６側からのフレームを監視する。
【００７３】
【発明の効果】
以上述べたように、親機が子機との間での送信手順を必要とし、親機が複数の子機との間でデータ通信し、子機がそれに接続される端末などからの送信を抑圧して回線を制御する必要のある半二重光送信システムにおいて、子機が端末からの送信を受け取れないと判明している場合には、その期間中に連続して抑圧するので、子機と端末間での不用意な抑圧（衝突）回数を削減できるとともに、端末からの再送時間を効率的にすることができる。これによって、効率的な送信が実現され、より高性能な１：Ｎ型光無線通信システムが実現可能となる。
【図面の簡単な説明】
【図１】本発明に係る半二重光通信システムを概略的に示すブロック図である。
【図２】図１の半二重光通信システムの基本通信タイミングを示す説明図である。
【図３】図１の半二重光通信システムの折り返しフレームありの場合の基本通信タイミングを示す説明図である。
【図４】従来の半二重光通信子機装置の有線側抑圧の基本通信タイミング（送信中の抑圧の場合）を示す説明図である。
【図５】従来の半二重光通信子機装置の有線側抑圧の基本通信タイミング（折り返しフレーム受信中の抑圧の場合）を示す説明図である。
【図６】本発明の半二重光通信子機装置の有線側抑圧の基本通信タイミング（送信中の抑圧の場合）の一例を示す説明図である。
【図７】本発明の半二重光通信子機装置の有線側抑圧の基本通信タイミング（送信中の抑圧の場合）の他の例を示す説明図である。
【図８】本発明の半二重光通信子機装置の有線側抑圧の基本通信タイミング（折り返しフレーム受信中の抑圧の場合）の一例を示す説明図である。
【図９】本発明の半二重光通信子機装置の有線側抑圧の基本通信タイミング（折り返しフレーム受信中の抑圧の場合）の他の例を示す説明図である。
【図１０】本発明の半二重光通信子機装置の有線側抑圧の基本通信タイミング（送信中及び折り返しフレーム受信中の抑圧の場合）を示す説明図である。
【図１１】本発明の半二重光通信親機装置を示すブロック図である。
【図１２】本発明の半二重光通信子機装置を示すブロック図である。
【図１３】本発明の半二重光通信親機装置の光回線フレーム送信及び光回線空き報知信号送信の処理を説明するためのフローチャートである。
【図１４】本発明の半二重光通信親機装置の光回線フレーム受信処理を説明するためのフローチャートである。
【図１５】本発明の半二重光通信子機装置の光回線フレーム受信及び有線送信の処理を説明するためのフローチャートである。
【図１６】本発明の半二重光通信子機装置の光回線フレーム送信処理を説明するためのフローチャートである。
【符号の説明】
３　子機
４　端末
２４　光回線送信タイミング遅延部
２７　制御手段
３３　抑圧擬似信号発生手段
【図１】
2004032475.tif 000003
【図２】
2004032475.tif 000004
【図３】
2004032475.tif 000005
【図４】
2004032475.tif 000006
【図５】
2004032475.tif 000007
【図６】
2004032475.tif 000008
【図７】
2004032475.tif 000009
【図８】
2004032475.tif 000010
【図９】
2004032475.tif 000011
【図１０】
2004032475.tif 000012
【図１１】
2004032475.tif 000013
【図１２】
2004032475.tif 000014
【図１３】
2004032475.tif 000015
【図１４】
2004032475.tif 000016
【図１５】
2004032475.tif 000017
【図１６】
2004032475.tif 000018